(57)【要約】【課題】スリッターのタッチローラの支持軸方向への移動を容易かつスムーズに行うことができるタッチローラ支持機構を提供する。【解決手段】スリッター１において巻取軸２に巻き取られる巻取ロール３を押さえるタッチローラ１０を支持するための支持アーム２０，２１、支持アーム２０，２１において巻取軸２の軸方向と平行に設けられ、支持アーム２０，２１を周方向に回動可能に取り付ける回動軸３０及び支持アーム２０，２１において回動軸３０の軸方向と平行に設けられ、支持アーム２０を軸方向に移動可能とするスライド軸４０を備え、支持アーム２０は、スライド軸４０に嵌合し、スライド軸４０の周方向に回動可能かつ軸方向に移動可能とするリニアブッシュ５０を備えているタッチローラ支持機構５。【選択図】図１
2019038639.tif 000002
【特許請求の範囲】
【請求項１】
スリッターにおいて巻取軸に巻き取られる巻取ロールを押さえるタッチローラと、
前記タッチローラを支持するための支持アームと、
前記支持アームにおいて前記巻取軸の軸方向と平行に設けられ、前記支持アームを周方向に回動可能に取り付ける回動軸と、
前記支持アームにおいて前記回動軸の軸方向と平行に設けられ、前記支持アームを軸方向に移動可能とするスライド軸と、
を備え、
前記支持アームは、
前記スライド軸に嵌合し、前記スライド軸の軸方向に移動可能とするスライド部を備えていることを特徴とするタッチローラ支持機構。
【請求項２】
請求項１に記載のタッチローラ支持機構において、
前記支持アームは、
前記タッチローラを両端側で支持するために一対備えられ、前記タッチローラのスライド部は前記一対のうち少なくとも一方に備えられていることを特徴とするタッチローラ支持機構。
【請求項３】
請求項１又は請求項２に記載のタッチローラ支持機構において、
前記スライド部は、リニアブッシュであることを特徴とするタッチローラ支持機構。
【発明の詳細な説明】
【技術分野】
【０００１】
本発明は、巻取装置において巻取軸に巻き取られる巻取ロールを押さえるタッチローラを支持するタッチローラアームの支持機構に関する。
【背景技術】
【０００２】
スリッターは、紙やプラスチックフィルムなどの幅広ウェブを縦にスリットし、スリットされた細幅ウェブを巻取軸に巻き取って巻取ロールとして取り出す装置であり、細幅ウェブを巻き取るための巻取装置を備えている。
従来、スリッターに用いられる巻取装置では、細幅ウェブの巻取りの際に巻取ロールの隙間に空気が巻き込まるのを防止するために巻取り中に巻取ロールにタッチローラを接触させて、細幅ウェブを押さえながら巻き取るようになっている。
【０００３】
このようなタッチローラを用いた巻取装置において、タッチローラを支持するための支持軸（タッチローラアーム）の軸線方向にキー溝を設け、タッチローラの支持部にブッシュを設け、ブッシュをキー溝と嵌合させて、タッチローラを支持軸のキー溝の軸線方向に移動できるようにするとともに、タッチローラの回転方向における位置決めを行うようにしたタッチローラ支持機構がある（例えば、特許文献１参照）。
【先行技術文献】
【特許文献】
【０００４】
【特許文献１】特開２００３−３１２９０５号公報
【発明の概要】
【発明が解決しようとする課題】
【０００５】
ところが、上記従来のタッチローラ支持機構では、支持部のブッシュと支持軸のキー溝との間の摩擦抵抗が大きいため、タッチローラの軸線方向への移動が容易でなく、また、支持軸にキー溝加工が必要であるという問題もあった。
【０００６】
本発明は、こうした問題に鑑みなされたもので、タッチローラの支持軸方向への移動を容易かつスムーズに行うことができるタッチローラ支持機構を提供することを目的とする。
【課題を解決するための手段】
【０００７】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００８】
［適用例１］
本発明におけるタッチローラ支持機構（５）は、
巻取装置（１）において巻取軸（２）に巻き取られる巻取ロール（３）を押さえるタッチローラ（１０）と、
前記タッチローラ（１０）を支持するための支持アーム（２０）と、
前記支持アーム（２０）において前記巻取軸（２）の軸方向と平行に設けられ、前記支持アーム（２０）を周方向に回動可能に取り付ける回動軸（３０）と、
前記支持アーム（２０）において前記回動軸（３０）の軸方向と平行に設けられ、前記支持アーム（２０）を軸方向に移動可能とするスライド軸（４０）と、
を備え、
前記支持アーム（２０）は、
前記スライド軸（４０）に嵌合し、前記スライド軸（４０）の軸方向に移動可能とするスライド部（５０）を備えていることを要旨とする。
【０００９】
このようなタッチローラ支持機構（５）では、タッチローラ（１０）を支持する支持アーム（２０）が巻取軸（２）の軸方向と平行に設置された回動軸（３０）周りに回動可能に取り付けられるとともに、回動軸（３０）の軸方向と平行に設置されたスライド軸（４０）の軸方向に移動可能となっている。
【００１０】
また、支持アーム（２０）は、スライド軸（４０）に嵌合するスライド部（５０）により、スライド軸（４０）の回転中心軸方向に移動可能となっているため、スライド部（５０）とスライド軸（４０）の摩擦が少なくなる。
【００１１】
したがって、キー溝とブッシュによる従来の方式よりも、支持アーム（２０）をスライド軸（４０）に沿って回転中心軸方向に移動させることが容易かつスムーズとなる。
さらに、支持アーム（２０）取り付けた回動軸（３０）とスライド軸（４０）の２本の軸により、回転方向の位置決めが可能となる。
【００１２】
［適用例２］
適用例１に記載のタッチローラ支持機構（５）において、
前記支持アーム（２０，２１）は、
前記タッチローラ（１０）を両端側で支持するために一対備えられ、前記タッチローラ（１０）のスライド部（５０）は前記一対のうち少なくとも一方に備えられていることを要旨とする。
【００１３】
このようなタッチローラ支持機構（５）では、タッチローラ（１０）の両端を一対の支持アーム（２０，２１）により支持するため、タッチローラ（１０）を巻取ロールで安定して押さえることができる。
【００１４】
［適用例３］
適用例１又は適用例２に記載のタッチローラ支持機構（５）において、
前記スライド部（５０）は、リニアブッシュであることを要旨とする。
【００１５】
このようなタッチローラ支持機構（５）では、スライド部（５０）としてリニアブッシュを用いることによって支持アーム（２０，２１）とスライド軸（４０）との摩擦が少なくなる、したがって、支持アーム（２０，２１）の軸方向への移動が容易でスムーズになる。
【図面の簡単な説明】
【００１６】
【図１】タッチローラ支持機構５の概略の構成を示す図である。
【図２】支持アームの形状を示す図である。
【発明を実施するための形態】
【００１７】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１８】
（タッチローラ支持機構の構成）
図１及び図２に基づきタッチローラ支持機構５の構成について説明する。図１は、タッチローラ支持機構５の概略の構成を示す図であり、図２は、支持アーム２０及び支持アーム２１の形状を示す図である。なお、図２において、支持アーム２０と支持アーム２１とは対称形状であるため、支持アーム２０の形状を示している。
【００１９】
図１に示すように、タッチローラ支持機構５は、タッチローラ１０、支持アーム２０、支持アーム２１、回動軸３０及びスライド軸４０を備えている。
タッチローラ１０は、リワインダーなどの巻取装置１において巻取軸２に巻き取られる巻取ロール３の表面を押さえ、巻取ロール３の巻取の際に巻取層の隙間に空気が巻き込まれるのを防ぐためのローラであり、円柱形状のＳＵＳ材などの鋼管にゴムを接着し、表面の摩擦係数を大きくしてある。
【００２０】
また、タッチローラ１０の両端面の中心（回転中心）には、支持軸１２が設けられており、この支持軸１２を支持アーム２０及び支持アーム２１の先端に設けられた第１挿通孔２２に挿通して、ボルトなどで回転可能に支持し、タッチローラ１０の回転中心軸が巻取ロール３の回転中心軸と平行となるようにする。
【００２１】
支持アーム２０及び支持アーム２１は、タッチローラ１０、回動軸３０及びスライド軸４０を両端側で支持するための一対の部材であり、先端部分にタッチローラ１０の支持軸１２を挿通するための第１挿通孔２２、反対端（根元側部分）にスライド軸４０の端部を挿通するための第２挿通孔２４、第２挿通孔２４の近傍の下方の位置には、回動軸３０の端部を挿通するための第３挿通孔２６が設けられている。
【００２２】
支持アーム２０，２１の第２挿通孔２４には、第２挿通孔２４と中心軸が同一となるようにリニアブッシュ５０が装着されている。このリニアブッシュ５０にスライド軸４０を挿通させて嵌合させることによって、支持アーム２０，２１がスライド軸４０の回転中心軸方向に移動可能とすることができる。
【００２３】
また、第３挿通孔２６は、回動軸３０の直径よりも少し大きな内径を有する孔であり、回動軸の端部を挿通することにより、回動軸３０を回転中心軸方向に移動させることができるようになっている。
【００２４】
回動軸３０は、円柱形状のＳＵＳ材などの鋼管であり、両端部分を支持アーム２０及び支持アーム２１に設けられた第３挿通孔２６に挿通して、ボルトなどで回転可能に支持し、回動軸３０の回転中心軸が巻取ロール３の回転中心軸と平行となるようにする。
【００２５】
スライド軸４０は、円柱形状のＳＵＳ材などの鋼管であり、両端部分を支持アーム２０及び支持アーム２１に設けられた第２挿通孔２４に挿通して、ボルトなどで回転可能かつ回転軸中心方向に移動可能に支持し、回動軸３０の回転中心軸が回動軸３０の回転中心軸と平行となるようにする。
【００２６】
また、第２挿通孔２４（リニアブッシュ５０）に挿通されたスライド軸４０と第３挿通孔２６に挿通された回動軸３０のそれぞれの両端面をＳＵＳ材などの金属製の結合部材６０で結合してある。
【００２７】
（タッチローラ支持機構の特徴）
以上のようなタッチローラ支持機構５では、支持アーム２０，２１が巻取軸２の回転中心軸方向と平行に設置された回動軸３０周りに回動可能であるとともに、回動軸３０の回転中心軸方向と平行に設置されたスライド軸４０の軸方向に移動可能となっている。
【００２８】
また、支持アーム２０，２１は、リニアブッシュ５０に内蔵されている多数の鋼球により低摩擦で、スライド軸４０に軸方向に容易に移動できるようになっている。つまり、キー溝とブッシュによる従来の方式よりも支持アーム２０，２１をスライド軸４０の回転中心軸方向に容易かつスムーズに移動させることができる。
【００２９】
また、支持アーム２０，２１の第２挿通孔２４及び第３挿通孔２６にそれぞれスライド軸４０と回動軸３０の両端部分が挿通され、スライド軸４０と回動軸３０の両端面が結合部材６０で結合されている。
【００３０】
したがって、スライド軸４０と回動軸３０の回転方向の位置が固定されているため、支持アーム２０，２１が巻取ロール３の直径の変化に伴う移動が生じても、スライド軸４０と回動軸３０のそれぞれの回転中心軸の距離が一定に保たれる。これにより、巻取軸２に対する回転方向の位置決めが可能となる。
【００３１】
また、一対の支持アーム２０及び支持アーム２１によりタッチローラ１０を両端で支持するため、タッチローラ１０を巻取ロールに安定して押さえ付けることができる。
さらに、タッチローラ支持機構５では、スライド軸４０に支持アーム２０，２１を固定する（スライド部）ためにリニアブッシュ５０を用いている。
【００３２】
ここで、リニアブッシュ５０は、スライド軸４０の表面と接するように多数の鋼球を備えており、その鋼球の転がりを利用して無限直線運動をする。したがって、低摩擦かつ高精度な直線運動を得ることができるため、支持アーム２０，２１とスライド軸４０との摩擦が少なくなり、支持アーム２０の回転中心軸方向への移動が容易でスムーズになる。
【００３３】
また、リニアブッシュ５０と同様な機能を有する機構としてボールスプラインを用いることも考えられるが、スプライン加工のコストが高いためリニアブッシュ５０を採用することによってコストを低減させることもできる。
【００３４】
さらに、回転軸３０とスライド軸４０の２軸構成にしたことにより、リニアブッシュ５０を小サイズにすることができるため、コストを低減させることができるという効果もある。
【００３５】
つまり、仮に回転軸３０とスライド軸４０とを１つの軸にして、それぞれの機能を兼用しようとした場合、１つの軸は、タッチローラアーム（支持アーム２０，２１）及びタッチローラ１０の荷重を受けるために十分な軸径が必要となる。
【００３６】
これに対し、本願発明のように、回転軸３０とスライド軸４０の２軸構成にすることにより、回転軸３０は荷重を受けるが、スライド軸４０は荷重を受けないので、回転軸３０に比べ軸径を小さくすることができる。したがって、リニアブッシュ５０のサイズも小さくなり、ひいてはコストを低減させることができる。
【００３７】
［その他の実施形態］
（１）上記実施形態では、タッチローラ支持機構５をリワインダーの巻取装置１に用いるものとして説明したが、巻取ロール３をタッチローラ１０で押さえる機構を有する装置、例えば、スリッターなど用いられる巻取装置であってもよい。
【００３８】
（２）上記実施形態では、タッチローラ１０を支持するために、２本の支持アーム２０，２１を用いたが、リニアブッシュ５０を装着した１本の支持アームのみでタッチローラを支持してもよい。
【００３９】
（３）上記実施形態では、回動軸３０及びスライド軸４０は、ＳＵＳ材で形成していたが、Ｓ４５Ｃなどを中実軸状に形成したものであってもよい。
【００４０】
（４）上記実施形態では、結合部材６０で回動軸３０とスライド軸４０のぞれぞれの両端面を結合していたが、回動軸３０及びスライド軸４０が支持アーム２０，２１から脱落しなければ、他の方法であってもよい。例えば、回動軸３０及びスライド軸４０の一方の端面のみを結合してもよい。
【符号の説明】
【００４１】
１… スリッター  ２… 巻取軸  ３… 巻取ロール  ５… タッチローラ支持機構  １０… タッチローラ  １２… 支持軸  ２０，２１… 支持アーム  ２２… 第１挿通孔  ２４… 第２挿通孔  ２６… 第３挿通孔  ３０… 回動軸  ４０… スライド軸  ５０… リニアブッシュ（スライド部）  ６０… 結合部材
【図１】
2019038639.tif 000003
【図２】
2019038639.tif 000004